(57)【要約】【課題】直立型陳列棚用の継板を使用することができる傾斜型陳列棚を提供する。【解決手段】本発明の陳列棚１は、左右の支柱体３、５と、左右の支柱体３、５の前側と後側とに各々上下方向に間隔をあけて設けた複数の棚板７とを備え、支柱体３、５は前側支柱材９と後側支柱材１１と連結材１３とを有し、前側支柱材９及び後側支柱材１１は側面視平行四辺形の同一部材であり、一方の支柱材に対して他方の支柱材の左右を反転して前側支柱材９の下端９ｂと後側支柱材１１の下端１１ｂを前後に間隔をあけて連結材１３で固定してあると共に前側支柱材９の上端部９ａと後側支柱材１１の上端部１１ａを重合して固定してあり、支柱体３、５の上端の見込み寸法Ｌ１が支柱材９、１１の見込み方向の巾Ｌ２の略２倍である。【選択図】図１
2010184064.tif 000002
【特許請求の範囲】
【請求項１】
左右の支柱体と、左右の支柱体の前側と後側とに各々上下方向に間隔をあけて設けた複数の棚板とを備え、支柱体は前側支柱材と後側支柱材と連結材とを有し、前側支柱材及び後側支柱材は側面視平行四辺形の同一部材であり、一方の支柱材に対して他方の支柱材の左右を反転して前側支柱材の下端と後側支柱材の下端を前後に間隔をあけて連結材で固定してあると共に前側支柱材の上端部と後側支柱材の上端部を重合して固定してあり、支柱体の上端の見込み寸法が支柱材の見込み方向の巾の略２倍であることを特徴とする陳列棚。
【発明の詳細な説明】
【技術分野】
【０００１】
本発明は、書籍等の商品を陳列する陳列棚に関する。
【背景技術】
【０００２】
左右の支柱体の前側と後側とで各々上下方向に間隔をあけて棚板を設け、一つの陳列棚の前側と後側とで商品を陳列できるようにした陳列棚が公知である。
係る陳列棚には、左右の支柱体の前端及び後端を床に対して垂直にした直立型陳列棚と、支柱体の前端と後端の上側が奥になるように傾斜させた傾斜型陳列棚とがある。
傾斜型陳列棚として、特許文献１には、左右の支柱体を各々構成する前側支柱材と後側支柱材とに平行四辺形の同一部材を用いて、前側支柱材の下端と後側支柱材の下端を前後に間隔をあけて連結材で固定し、前側支柱材の上端部と後側支柱材の上端部との間に継板取付部材を挟んで連結材で固定することが開示されている。そして、左右の支柱体の上に継板を取付ける場合には、継板を継板取付部材に挿入して固定している。
【先行技術文献】
【特許文献】
【０００３】
【特許文献１】特開２００１−３１４２９２号公報
【発明の概要】
【発明が解決しようとする課題】
【０００４】
しかし、特許文献１の技術では、支柱体に継板を取付ける場合には、支柱体上端の見込み寸法よりも継板の見込み寸法（見込み方向の巾）が小さい為、外観を損なうという問題がある。このように、支柱体上端の見込み寸法と継板の見込み寸法が異なると、支柱体上端に対して継板が凹んだり突出して外観を損なってしまう。
即ち、継板の巾が支柱体の上端の見込み寸法と略同じ寸法であることが望まれている。
一方、図６に示すように、側面視長方形状の前側支柱材５４と後側支柱材５３とを隣合わせに接合して支柱体５５とした直立型陳列棚がある。この直立型陳列棚の支柱材５４、５３は、側面視平行四辺形を成す基本となる支柱材の上端部と下端部とを直角に切断したものである。
基本となる支柱材は、特許文献１のようにそのまま一方の左右を反転させて前側支柱材と後側支柱材として接合することにより支柱体を構成した傾斜型陳列棚に用いるものである。
しかし、この種の直立型陳列棚では支柱体の上端の見込み寸法は支柱材の見込み方向の巾の略２倍の寸法になるが、傾斜型陳列棚の支柱体の上端は、直立型陳列棚と同じ部材の支柱材を使用していても支柱材は側面視平行四辺形になっている為、その見込み寸法（図１（ｂ）のＬ１参照）が支柱材の見込み寸法の巾（図１（ａ）のＬ２参照）の２倍よりも大きくなってしまい、直立型陳列棚で用いる継板を傾斜型陳列棚で使用できなかった。
【０００５】
そこで、本発明は、直立型陳列棚用の継板を使用することができる傾斜型陳列棚の提供を目的とする。
【課題を解決するための手段】
【０００６】
請求項１に記載の発明は、左右の支柱体と、左右の支柱体の前側と後側とに各々上下方向に間隔をあけて設けた複数の棚板とを備え、支柱体は前側支柱材と後側支柱材と連結材とを有し、前側支柱材及び後側支柱材は側面視平行四辺形の同一部材であり、一方の支柱材に対して他方の支柱材の左右を反転して前側支柱材の下端と後側支柱材の下端を前後に間隔をあけて連結材で固定してあると共に前側支柱材の上端部と後側支柱材の上端部を重合して固定してあり、支柱体の上端の見込み寸法が支柱材の見込み方向の巾の略２倍であることを特徴とする。
【発明の効果】
【０００７】
請求項１に記載の発明によれば、傾斜型陳列棚の左右の支柱体は、前側支柱材の上端部と後側支柱材の上端部を重合して固定し、支柱体の上端の見込み寸法を支柱材の見込み方向の巾の略２倍にしているので、この傾斜型陳列棚で用いた支柱材と同一部材の支柱材の上端部を直角にして隣合わせに接合して支柱体とした直立型陳列棚の継板と見込み寸法が同じにできるから、直立型陳列棚用の継板を取付けることができる。
左右の支柱体を構成する前側支柱材の上端部と後側支柱材の上端部を重合して固定しているので、特許文献１のような前側支柱材の上端部と後側支柱材の上端部を連結する連結部材や継板取付部材が不要となり、部品点数を少なくできる。
更に、前側支柱材と後側支柱材を同一部材としているので、部品種類を少なくできる。
【図面の簡単な説明】
【０００８】
【図１】（ａ）は本実施の形態に係る陳列棚であり、図５（ａ）に示す陳列棚のＢ―Ｂ断面図であり、（ｂ）は（ａ）に示すＡ―Ａ断面図である。
【図２】図１（ａ）に示す支柱体の分解斜視図である。
【図３】後側支柱材の側面図である。
【図４】図５に示す陳列棚を、棚板を除いて示す分解斜視図である。
【図５】本実施の形態にかかる陳列棚の図であり、（ａ）は正面図であり、（ｂ）は（ａ）に示す陳列棚を左側から見た側面図である。
【図６】直立型陳列棚の側面図である。
【発明を実施するための形態】
【０００９】
以下に、添付図面を参照して本発明の実施の形態を説明する。
図５に示すように、本実施の形態に係る陳列棚１は、前側と後側との両側に棚板７を有すると共に上側の棚板７が奥側になるように傾斜した傾斜型陳列棚である。この陳列棚１は、左側支柱体３、左側支柱体３に対向する右側支柱体（中間に位置する支柱体）５と、各支柱体３、５の前側と後側とで各々上下方向に間隔をあけて設けた複数の棚板７と、支柱体３、５間に設けた背面板８とを備えている。
尚、本実施の形態では、右側支柱体５の右側に対向する位置にも支柱体６を設けて２連の陳列棚にしており、最も右側に位置する支柱体６の構成は左側支柱体３と同じ構成であるから、以下ではその説明を省略する。
また、左側支柱体３とこれに対向する右側支柱体５とにおいて、左側支柱体３にはその左側面に化粧カバー１５（図４参照）が設けてあるのに対して、右側支柱体５には化粧カバーを設けていないことが異なっており、その他は同じ構成である。したがって、以下の説明では、右側支柱体５の構成を説明し、左側支柱体３の詳細な説明を省略する。
図５及び図４に示すように、左側支柱体（以下単に「支柱体」という）５の上には、継板１７が嵌合固定されているおり、左右の継板１７、１７間には上背面板１９が取付けられており、上背面板１９の上端にはパラペット２１が取付けられている。
図１及び図２に示すように、支柱体５は、前側支柱材９と、後側支柱材１１と、連結材１３とから構成されている。前側支柱材９と後側支柱材１１とは同一部材であるから、ここでは後側支柱材１１の構成を説明する。
後側支柱材１１は、図１及び図３に示すように、上端部１１ａに対して前端１１ｃを斜めした側面視平行四辺形であり、下端１１ｂには嵌合突起２３（図３参照）が突設してある。この後側支柱材１１は、図１（ｂ）及び図２に示すように、内部が中空Ｋになっている。
左側面２５及び右側面２７には棚板７の係止孔２９が上下方向の列を成して２列に形成されている。棚板７の係止孔２９は左側面２５と右側面２７とで同じ位置に形成されている。また、背面板８の係止孔３０も上下に列を成して且つ左側面２５と右側面２７とで同じ位置に形成されている。
後側支柱材１１の上端部１１ａにおいて、前端１１ｃには前側支柱材１１と重合して連結する重合部３１が形成されている。
図１（ｂ）に示すように、重合部３１は、右側面２７に挿入口３７が形成した横断面が略Ｌ形状の片であり、Ｌ字の一部が左側面２５に重ねる重合面３８になっている。後側支柱材の重合部３１を前側支柱材１１の挿入口３７から中空Ｋ内に挿入して、後側支柱材１１の上端部１１ａと前側支柱材９の上端部９ａとをかみ合わせ、前側支柱材９の側面２５と重合部３１の重合面３８とを重合して、その重合部分をねじ４１で固定している。
図１（ａ）及び図２に示すように、支柱体５の下端では、前側支柱材９の下端９ｂと後側支柱材１１の下端１１ｂとを互いに間隔をあけて連結材１３の溝１３ａに嵌め入れてねじ４３で固定している。
尚、図１に示すように、支柱体５の上端の中空内の見込み寸法Ｌ１（図１（ｂ）参照）は、前側支柱材９と後側支柱材１１の見込み方向の巾Ｌ２（図１（ａ）参照）の略２倍の寸法になっており、継板１７の見込み寸法Ｌ３（図１（ａ）参照）と同じにしてある。
継板１７は、図６に示す直立型の陳列棚５１と同一のものが用いられている。この直立型の陳列棚５１では、前側支柱材５３と後側支柱材５４とは、上述の後側支柱材１１と同一部材を上端と下端を直角に切断したものを用いて隣合わせに接合したものを左右の支柱体５５にしている。
【００１０】
次に、本実施の形態に係る陳列棚１の組立て及び作用効果について説明する。
まず、支柱体５を組立てる。支柱体５の組立ては、図２に示すように、側面視平行四辺形の同一部材を２つ用意し、一方を前側支柱材９とし、前側支柱材９に対して左右を反転したものを後側支柱材１１として用い、重合部３１が互いに対向するように配置する。
そして、前側支柱材９の下端９ｂと後側支柱材１１の下端１１ｂを互いに間隔をあけて連結材１３に嵌め込んで連結材にねじ４３で固定し、前側支柱材９の上端部９ａと後側支柱材１１の上端部１１ａでは、重合部３１を互いにかみ合せるように、前側支柱材９の重合部３１は後側支柱材１１の中空Ｋ内に挿入口３７から挿入し、後側支柱材１１の重合部３１は前側支柱材９の中空Ｋ内に挿入口３７から挿入して、前側支柱９の側面２５に重合部３１の重合面３８を重ねると共に、後側支柱１１の側面２５に後側支柱１１の重合部３１の重合面３８を重ねて、各々重ねた部分をねじ４１で固定する。これにより、支柱体３、５の上端の見込み寸法Ｌ１は支柱材９、１１の見込み方向の巾Ｌ２の略２倍になる。
尚、右側支柱体５と同様に組立てた左側支柱体３の側面には化粧カバー１５を取付ける。
次に、図４に示すように、左側支柱体３と右側支柱体５との間に前側と後側とに各々背面板８を配置して、前側支柱材９の係止孔３０と後側支柱材１１の係止孔３０に係止する。
そして、左右の支柱体３、５の上端に各々継板１７を嵌め入れてねじで固定し、左右の継板１７、１７間に上背面板１９とパラペット２１を固定する。
尚、図４において、符号４８はストッカー本体であり、符号４９はストッカーの前板である。
その後、図５に示すように、左側支柱体３と右側支柱体５とにおいて、対向する前側支柱材９と後側支柱材１１との係止孔２９に係止部材を介して棚板７を取付ける。
【００１１】
本実施の形態によれば、陳列棚１において、傾斜型陳列棚の左右の支柱体３、５は、図１に示すように、前側支柱材９の上端部９ａと後側支柱材１１の上端部１１ａを重合して固定し、支柱体３、５の上端の見込み寸法Ｌ１を支柱材９、１１の見込み方向の巾Ｌ２の略２倍にしているので、図６に示すように後側支柱材１１と同一部材の上端を前端に対して直角にした支柱材５３、５４を隣合わせに接合して支柱体５５としてある直立型陳列棚５１の継板１７と見込み寸法が同じにできるから、直立型陳列棚の継板１７と同一の継板１７を用いることができる。
左右の支柱体３、５を構成する前側支柱材９の上端部９ａと後側支柱材１１の上端部１１ａを重合して固定しているので、特許文献１のような連結部材や継板取付部材が不要となり、部品点数を少なくできる。
更に、前側支柱材９と後側支柱材１１を同一部材としているので、部品種類を少なくできる。
前側支柱材９と後側支柱材１１の各上端部９ａ、１１ａには、重合部３１が設けてあり、相互の支柱材９、１１の中空Ｋ内に挿入して重合面３８をねじ４１で固定しているので、重合部３１が外から見えず外観が良い。
【００１２】
本発明は、上述した実施の形態に限らず、本発明の要旨を逸脱しない範囲で種々変形可能である。
例えば、上述した実施の形態では、支柱体３、５を合計３つ配置して２連の陳列棚にしているが、支柱体３、５を合計２つにした陳列棚であっても良い。
連結材１３には、前側支柱材９及び後側支柱材１１の各下端を挿入する挿入溝１３ａを有することに限らず溝を有しない板状のものであっても良い。
左右の支柱体３、５間に背面板８を取付けないで、棚板７が奥側に突状の背面突起を有するものであっても良い。この場合には、前側支柱材９及び後側支柱材１１に背板用の係止孔３０は不要である。
前側支柱材９及び後側支柱材１１には中空Ｋを有しない板材を用いて、板材の上端部９ａ、１１ａを互いに重ねてねじで固定するものであっても良い。
【符号の説明】
【００１３】
１      陳列棚
３      左側支柱体
５      右側支柱体
７      棚板
９      前側支柱材
９ａ    上端部
１１    後側支柱材
１１ａ  上端部
１１ｃ  前端
１３    連結材
Ｌ１    支柱体上端の見込み寸法
Ｌ２    支柱材の巾（見込み方向の巾）
【図１】
2010184064.tif 000003
【図２】
2010184064.tif 000004
【図３】
2010184064.tif 000005
【図４】
2010184064.tif 000006
【図５】
2010184064.tif 000007
【図６】
2010184064.tif 000008